(57)【要約】      （修正有）【課題】紙面に印刷可能な電子ファイルに対して「印刷禁止」「リモート紙による印刷可能」「普通印刷可能」の３種類のプリント属性が付与されて印刷管理が行なわれ、さらに電子メールに添付する電子ファイルは内容が暗号化されて送信される印刷システムを提供する。【解決手段】プリンタ１００は、リモート紙が給紙トレイに収納されているかどうかを検知し、検知結果をＰＣ３００に送信して、ＰＣ３００よりリモート紙を使用した印刷ジョブが送信されるとリモート紙を使用した印刷を行なうように構成され、また、ＰＣ３００は、電子ファイルに付与された属性を読取って、読取った属性がリモート紙の印刷だけを許可するものである場合には、プリンタ１００からリモート紙が収納されている信号を受信している場合にプリンタ１００に該電子ファイルを印刷させる印刷ジョブを送信するように構成される。【選択図】図１
2008090386.tif 000002
【特許請求の範囲】
【請求項１】
印刷装置と、
前記印刷装置に印刷情報を送信して印刷依頼を行う印刷依頼端末と
を具備し、
前記印刷装置は、
遠隔でその存在を検出可能な特定の用紙が印刷準備状態になっているかを検出する検出手段と、
前記検出手段で検出した特定の用紙が印刷準備状態になっていることを示す信号を前記印刷依頼装置に送信する送信手段と、
前記特定の用紙を指定した印刷情報の印刷依頼に際して前記特定の用紙を用いて該印刷情報の印刷を行う印刷制御手段と
を具備し、
前記印刷依頼装置は、
前記印刷情報に付与された属性を認識する認識手段と、
前記送信手段で送信された前記特定の用紙が印刷準備状態になっていることを示す信号を受信する受信手段と、
前記認識手段で認識した属性が前記特定の用紙のみの印刷を許可するものである場合は、前記受信手段で前記特定の用紙が印刷準備状態になっていることを示す信号を受信している場合に前記特定の用紙を指定した該印刷情報の印刷依頼を前記印刷装置に送信することを許可するように制御する送信制御手段と
を具備する印刷システム。
【請求項２】
前記特定の用紙は、
交番磁界の印加により所定の信号を出力する磁性体が付与された用紙である請求項１記載の印刷システム。
【請求項３】
前記認識手段により認識した属性が印刷を禁止するものである場合、前記送信制御手段は、該属性が付与された印刷情報の印刷依頼を前記印刷装置に送信することを禁止するように制御する請求項１記載の印刷システム。
【請求項４】
前記印刷情報は、
前記印刷依頼装置が電子メールで受信した文書に対応する印刷情報である請求項１記載の印刷システム。
【請求項５】
前記認識手段により認識した前記印刷情報に付与された属性が該印刷情報の表示を禁止するものである場合は、該属性が付与された印刷情報の表示を禁止する請求項４記載の印刷システム。
【請求項６】
遠隔でその存在を検出可能な特定の用紙が印刷準備状態になっているかを検出する検出手段と、
前記検出手段で検出した特定の用紙が印刷準備状態になっていることを印刷依頼を行う印刷依頼装置に通知する通知手段と、
前記検出手段で前記特定の用紙が印刷準備状態になっていることを検出している状態で、前記印刷依頼装置から前記特定の用紙を指定した印刷情報の印刷依頼を受けた場合に、前記特定の用紙を用いて該印刷情報の印刷を行う印刷制御手段と
を具備する印刷装置。
【請求項７】
印刷情報に付与された属性を認識する認識手段と、
印刷依頼を行う印刷装置から遠隔でその存在を検出可能な特定の用紙が印刷準備状態になっていることを示す信号を受信する受信手段と、
前記認識手段で認識した属性が前記特定の用紙のみの印刷を許可するものである場合は、前記受信手段で前記特定の用紙が印刷準備状態になっていることを示す信号を受信している場合に前記特定の用紙を指定した該印刷情報の印刷依頼を前記印刷装置に送信することを許可するように制御する送信制御手段と
を具備する印刷依頼装置。
【発明の詳細な説明】
【技術分野】
【０００１】
本発明は、印刷システムに関する。
【背景技術】
【０００２】
近年、機密情報や個人情報等の漏洩防止、有価証券等の偽造防止、商品等の盗難防止等、セキュリティ強化を目的とする種々の装置が提供されている。
【０００３】
例えば、持ち出しを禁止する用紙に対して磁性式のタグや電波式のタグを付与して、さらに、部屋の出入り口にタグの検知を行なう検知ゲートを設けて、検知ゲートによって部屋からの該用紙の持ち出しを防ぐ技術が存在する。
【０００４】
また、現在、紙面に印刷される原稿内容はコンピュータ内の電子ファイルで作成されて保存されるのが一般的である。
【０００５】
そして、コンピュータ内に記憶される電子ファイルは、ファイル名、ファイルの種類、作成日時等のファイルに関する情報であるファイル属性を有している。
【０００６】
特許文献１には、ユーザがファイルに対して新しい属性を自由に設定でき、それらの属性値に基づいてファイルを自由に検索できるようにしたファイル属性管理方式が提案されている。
【０００７】
特許文献２には、ファイルシステムの運用中でも新規属性の追加を可能とするファイルシステムが提案されている。
【０００８】
そして、特許文献３には、人員タグと物品タグをセンサで検知して、部外者の無断入室や物品の無断持ち出しを確実に監視し、即座に警報を発することができるセキュリティ感知システムが提供されている。
【特許文献１】特開平５−２０１５２号公報
【特許文献２】特開平７−１２１４１４号公報
【特許文献３】特開２００４−２１３１０号公報
【発明の開示】
【発明が解決しようとする課題】
【０００９】
このように、タグが付与された用紙に印刷が行われるとタグが付与された用紙はセキュリティ管理が行なわれるが、タグが付与されてない普通のプリント用紙に印刷されると検知ゲートによるセキュリティ管理は行なわれない。
【００１０】
そこでセキュリティの重要性の高い電子ファイルに対しては、セキュリティ管理可能なタグが付与された用紙にだけ印刷が許されるような属性の設定が望まれる。
【００１１】
また、近年、電子メールを利用して電子ファイルを送信することも行なわれており、送信者がその電子ファイルに対して送信先でのセキュリティ管理を望む場合も想定される。
【００１２】
そこで、この発明は、紙面に印刷可能な電子ファイルに対して「印刷禁止」「リモート紙による印刷可能」「普通印刷可能」の３種類のプリント属性が付与されて印刷管理が行なわれ、さらに電子メールに添付する電子ファイルは内容が暗号化されて送信される印刷システムを提供することを目的とする。
【課題を解決するための手段】
【００１３】
上記目的を達成する為、請求項１の発明は、印刷装置と、前記印刷装置に印刷情報を送信して印刷依頼を行う印刷依頼端末とを具備し、前記印刷装置は、遠隔でその存在を検出可能な特定の用紙が印刷準備状態になっているかを検出する検出手段と、前記検出手段で検出した特定の用紙が印刷準備状態になっていることを示す信号を前記印刷依頼装置に送信する送信手段と、前記特定の用紙を指定した印刷情報の印刷依頼に際して前記特定の用紙を用いて該印刷情報の印刷を行う印刷制御手段とを具備し、前記印刷依頼装置は、前記印刷情報に付与された属性を認識する認識手段と、前記送信手段で送信された前記特定の用紙が印刷準備状態になっていることを示す信号を受信する受信手段と、前記認識手段で認識した属性が前記特定の用紙のみの印刷を許可するものである場合は、前記受信手段で前記特定の用紙が印刷準備状態になっていることを示す信号を受信している場合に前記特定の用紙を指定した該印刷情報の印刷依頼を前記印刷装置に送信することを許可するように制御する送信制御手段とを具備する印刷システムとする。
【００１４】
また、請求項２の発明は、請求項１の発明において、前記特定の用紙は、交番磁界の印加により所定の信号を出力する磁性体が付与された用紙であるように構成される。
【００１５】
また、請求項３の発明は、請求項１の発明において、前記認識手段により認識した属性が印刷を禁止するものである場合、前記送信制御手段は、該属性が付与された印刷情報の印刷依頼を前記印刷装置に送信することを禁止するように制御するように構成される。
【００１６】
また、請求項４の発明は、請求項１の発明において、前記印刷情報は、前記印刷依頼装置が電子メールで受信した文書に対応する印刷情報であるように構成される。
【００１７】
また、請求項５の発明は、請求項４の発明において、前記認識手段により認識した前記印刷情報に付与された属性が該印刷情報の表示を禁止するものである場合は、該属性が付与された印刷情報の表示を禁止するように構成される。
【００１８】
また、請求項６の発明は、遠隔でその存在を検出可能な特定の用紙が印刷準備状態になっているかを検出する検出手段と、前記検出手段で検出した特定の用紙が印刷準備状態になっていることを印刷依頼を行う印刷依頼装置に通知する通知手段と、前記検出手段で前記特定の用紙が印刷準備状態になっていることを検出している状態で、前記印刷依頼装置から前記特定の用紙を指定した印刷情報の印刷依頼を受けた場合に、前記特定の用紙を用いて該印刷情報の印刷を行う印刷制御手段とを具備する印刷装置とする。
【００１９】
また、請求項７の発明は、印刷情報に付与された属性を認識する認識手段と、印刷依頼を行う印刷装置から遠隔でその存在を検出可能な特定の用紙が印刷準備状態になっていることを示す信号を受信する受信手段と、前記認識手段で認識した属性が前記特定の用紙のみの印刷を許可するものである場合は、前記受信手段で前記特定の用紙が印刷準備状態になっていることを示す信号を受信している場合に前記特定の用紙を指定した該印刷情報の印刷依頼を前記印刷装置に送信することを許可するように制御する送信制御手段とを具備する印刷依頼装置とする。
【発明の効果】
【００２０】
請求項１の発明によれば、セキュリティ管理が可能なリモート紙にのみ印刷可能とする設定を印刷情報である電子ファイルに対してすることができる。
【００２１】
また、請求項４の発明によれば、あらかじめ送信者が添付ファイルに対してリモート紙だけしか印刷を行なえないようなプリント属性を設定して電子メールで送信することができ、さらに請求項５の発明によれば、電子メールを送信する送信経路上では、暗号化によって該電子メールの盗聴を防ぐことができるという効果を奏する。
【発明を実施するための最良の形態】
【００２２】
以下、本発明に係わる印刷システムの実施例について添付図面を参照して詳細に説明する。
【００２３】
図１は、本発明に係わる印刷システム１の概要を示すシステム構成図である。
【００２４】
本発明に係わる印刷システム１は、プリンタ１００、サーバ２００、パーソナルコンピュータ（以下、ＰＣと呼ぶ）３００が通信回線１０によって接続されており、通信回線１０はインターネット２０に接続される。
【００２５】
そして、インターネット２０には、ＰＣ３００と同じ構成で同じ機能を有するＰＣ３００−１が接続される（配置される場所の違いにより参照番号を異ならせている）。
【００２６】
プリンタ１００は、リモート管理可能な、磁性体４０が付与されたリモート紙３０（「リモート紙」は特許請求の範囲に記載の「特定の用紙」に対応）による印刷と普通紙による印刷とが可能である。
【００２７】
リモート紙３０に付与された磁性体４０は交番磁界が印加されることによって、大バルクハウゼン効果に伴う急峻な磁気パルスを発する。
【００２８】
サーバ２００は、プリントサーバであり、ＰＣ３００から送信される印刷ジョブを蓄積し、プリンタ１００が印刷可能な状態になると蓄積した印刷ジョブをプリンタ１００に送信する。
【００２９】
ＰＣ３００は、パーソナルコンピュータであり、マイクロソフトのエクセル、ワード、パワーポイントなどの紙面への印刷可能な電子ファイル（「電子ファイル」は特許請求の範囲に記載の「印刷情報」に対応）に対してプリント属性の付与を行なったり、また、電子ファイルの印刷指示を受け付けたときには、付与された電子ファイルのプリント属性の読み取りを行い、読み取ったプリント属性に応じた印刷処理を行う。
【００３０】
また、ＰＣ３００は、インストールされている電子メールソフトを通して、添付ファイルにプリント属性を付与して電子メール送信することができ、付与したあとの電子ファイルの内容を暗号化によって隠蔽して送信することも可能である（本実施例では主にＰＣ３００−１に使用される機能として説明する）。
【００３１】
暗号化によって隠蔽されて送信される電子ファイルは、その電子ファイルに付与されたプリント属性に従った印刷をする以外には内容を確認することができないように構成される。
【００３２】
そのために、ＰＣ３００の電子メールソフト３０５には暗号鍵を備えておき、サーバ２００に該暗号鍵に対応する復号鍵を備えるようにする。
【００３３】
このように構成される印刷システム１では、ＰＣ３００において電子ファイルに対してプリント属性の付与が行なわれる。
【００３４】
付与されるプリント属性は電子ファイルの属性の１つとして付与され、電子ファイルの属性とは、ファイル名、ファイルサイズ、ファイルの種類、最終作成日などである。
【００３５】
そして、プリント属性は、「プリント禁止」、「リモート紙のみプリント可」、「普通プリント可」の３種類がある。
【００３６】
「プリント禁止」のプリント属性が付与された電子ファイルは、印刷システム１において印刷が不可能とされる。
【００３７】
「リモート紙のみプリント可」のプリント属性が付与された電子ファイルは、印刷システム１においてプリンタ２００に収納されるリモート紙でのみ印刷が可能とされる。
【００３８】
「普通プリンタ可」のプリント属性が付与された電子ファイルは、印刷システム１においてリモート紙に限定されない普通紙でのプリントが可能とされる。
【００３９】
ＰＣ３００でプリント属性が付与された電子ファイルに対して、ＰＣ３００から印刷指示が行なわれると、ＰＣ３００で電子ファイルに付与されたプリント属性を読み取って、読み取られたプリント属性に応じた印刷処理が印刷システム１内で行なわれる。
【００４０】
次に、プリンタ１００の構造について図２を参照して説明を行なう。
【００４１】
図２は、印刷システム１に設けられるプリンタ１００の概要について示したブロック図である。
【００４２】
プリンタ１００は、通信インタフェース部（以下、通信Ｉ／Ｆ部と記す）１０１、制御部１０２、印刷実行部１０３、給紙トレイ１０４を備える。
【００４３】
通信Ｉ／Ｆ部１０１は、通信回線１０と接続されて、印刷ジョブの受信や、ＰＣ３００からのリモート紙の存否の問い合わせに関する情報の授受などを行う。
【００４４】
制御部１０２は、プリンタ１００の統括的な制御を行い、復号部１０５を備える。
【００４５】
制御部１０２内の復号部１０５は、暗号化されて内容が隠蔽された電子ファイルを印刷する印刷ジョブを受信したときに、当該印刷ジョブに含まれる暗号化された電子ファイルを復号する。
【００４６】
印刷実行部１０３は、通信Ｉ／Ｆ部１０１を通して受信した印刷ジョブを給紙トレイ１０４から搬送された印刷用紙に対して印刷を行なう。
【００４７】
給紙トレイ１０４は、リモート紙と普通紙とを別々に収納するトレイを備え、リモート紙検知部１０６を備える。
【００４８】
リモート紙検知部１０６は、図示しないリモート紙専用の給紙トレイにリモート紙が収納されているか否かを、発光素子と受光素子とを利用して紙が収納されているかを検知する光学的方法と、励磁コイルと検知コイルとでリモート紙に付与される磁性体の存在を検知する磁気的方法との両方のＡＮＤ信号により検知する。
【００４９】
このように構成されるプリンタ１００は、ＰＣ３００から、給紙トレイ１０４内にリモート紙が収納されていることでリモート紙による印刷が準備状態になっているかどうかの問い合わせがあると、リモート紙検知部１０６がリモート紙の存否の確認を行い、問い合わせに対する回答をＰＣ３００に送る。
【００５０】
そして、プリンタ１００は、通信Ｉ／Ｆ部１０１で受け付けた印刷ジョブを、印刷ジョブ内で指定される用紙（リモート紙或いは普通紙）を給紙トレイ１０４より選択して印刷実行部１０３で印刷する。
【００５１】
次に、サーバ２００の構造について図３を参照して説明を行なう。
【００５２】
図３は、印刷システム１に設けられるサーバ２００の概要を示したブロック図である。
【００５３】
印刷システム１に設けられるサーバ２００は、通信Ｉ／Ｆ部２０１、制御部２０２、データ蓄積部２０３を備える。
【００５４】
通信Ｉ／Ｆ部２０１は、通信回線１０に接続され、印刷ジョブの授受や、プリンタ１００と印刷可否に関するデータの授受などを行なう。
【００５５】
制御部２０２は、サーバ２００の統括的な制御を行なう。
【００５６】
データ蓄積部２０３は、印刷待ちのキューの機能を司り、ＰＣ３００より受信した印刷ジョブをプリンタ１００に送ることができないときに該印刷ジョブを蓄積する。
【００５７】
このように構成されるサーバ２００は、ＰＣ３００から受信した印刷ジョブをプリンタ１００に送信する。
【００５８】
プリンタ１００が印刷中の状態で、印刷待ちをする必要が生じた場合には受信した印刷ジョブをデータ蓄積部２０３に蓄積する。
【００５９】
次に、印刷システム１に設けられるＰＣ３００の構造について図４を参照して説明を行なう。
【００６０】
図４は、印刷システム１に設けられるＰＣ３００の概要を示したブロック図である。
【００６１】
ＰＣ３００は、通信Ｉ／Ｆ部３０１、入力部３０２、記憶部３０３、制御部３０４、表示部３０８を備える。
【００６２】
通信Ｉ／Ｆ部３０１は、通信回線１０と接続されており、プリンタ１００にリモート紙の存否の問い合わせを行なう為の情報の授受や、印刷ジョブの送信や、電子ファイルが添付された電子メールの送信などを行なう。
【００６３】
入力部３０２は、キーボードやマウスで構成され、ユーザが電子ファイルに対してプリント属性の付与を行なう場合や、電子ファイルの印刷指示を行う場合などに使用される。
【００６４】
記憶部３０３は、メモリやＨＤ(Hard Disc)で構成され、ＰＣ３００が機能する上で必要となるデータの記憶が行なわれ、また、作成された電子ファイルやプリンタ１００のプリンタドライバのプログラムや電子メールソフト３０５のプログラムも記憶される。
【００６５】
記憶部３０３に記憶される電子メールソフト３０５は、電子メールの送受信が行なえ、電子メールに添付する添付ファイルにプリント属性を付与する機能や受信した電子メールに添付された電子ファイルの印刷を指示する機能を有する電子メールソフト３０５である。
【００６６】
そして、電子メールソフト３０５には、添付ファイルを暗号化する機能としての暗号部３０６を有する。
【００６７】
制御部３０４は、ＰＣ３００の統括的な制御を行い、また、その機能的な構成としてプリント属性付与部３０７、属性読取部３０８とを備える。
【００６８】
制御部３０４の機能的な構成であるプリント属性付与部３０７は、記憶部３０３に記憶される電子ファイルに対してプリント属性の付与を行なう。
【００６９】
制御部３０４の機能的な構成である属性読取部３０８は、入力部３０２より印刷指示された電子ファイルのプリント属性を読取る。
【００７０】
表示部３０９は、ディスプレイで構成され、ユーザに制御部３０４で演算処理された結果を表示する。
【００７１】
このように構成されるＰＣ３００は、記憶部３０３に記憶される電子ファイルに対してプリント属性付与部３０７がプリント属性の付与を行い、また、電子ファイルに印刷指示が行なわれると該電子ファイルのプリント属性を属性読取部３０８が読み取り、記憶部３０３に記憶される電子ファイルをプリント属性が付与された添付ファイルとして電子メールソフト３０５より電子メール送信するなどのことができる。
【００７２】
次に、磁性体４０が付与されたリモート紙３０のセキュリティ機能について図５を参照して説明を行なう。
【００７３】
図５は、磁性体４０が付与されたリモート紙３０で印刷された用紙のセキュリティ機能について示す模式図である。
【００７４】
図５に示すように、部屋５００は、その出入り口に検知ゲート５０１を備え、プリンタ１００、サーバ２００、ＰＣ３００が配置される。
【００７５】
このような部屋５００内のＰＣ３００よりリモート紙での印刷が行なわれた場合には、プリンタ１００よりリモート紙３０で印刷が行なわれてプリンタ１００の排紙トレイに印刷されたリモート紙３０が排紙される。
【００７６】
リモート紙３０はそれに付与された磁性体４０によって検知ゲート５０１で検知されるように構成されており、排紙されたリモート紙３０を検知ゲート５０１を通って部屋５００の外に出ようとすると検知ゲート５０１が磁性体４０の大バルクハウゼン効果に伴う磁気パルスを検知して検知ゲート５０１が備える報知ブザーが作動し、リモート紙３０を部屋５００の外に持ち出すことはできないようにセキュリティ管理される。
【００７７】
次に、ＰＣ３００によって電子ファイルにプリント属性が付与される処理について図６を参照して説明する。
【００７８】
図６は、ＰＣ３００によって電子ファイルにプリント属性が付与される処理の表示部３０９に示される画面の画面構成図である。
【００７９】
図６に示すように、ＰＣ３００の記憶部３０３に記憶される電子ファイルが表示部３０９に表示され、入力部３０２の操作により指定の電子ファイルに所望のプリント属性が付与される。
【００８０】
電子ファイルへのプリント属性の付与はプリント属性付与部３０７によって行なわれる。
【００８１】
図６に示す画面構成図の例では、ワードファイルの１つに「リモート紙のみプリント可」のプリント属性が付与される。
【００８２】
このように、ユーザは、ＰＣ３００において、表示部３０９で電子ファイルと付与するプリント属性を確認しながら入力部３０２を操作することによって所望の電子ファイルに所望のプリント属性が付与することができる。
【００８３】
次に、プリント属性が付与された電子ファイルの属性の内容について図７を参照して説明を行なう。
【００８４】
図７は、プリント属性が付与された電子ファイルのファイル属性について示した図である。
【００８５】
ユーザは、ファイル属性について表示部３０９より確認することができ、プリント属性が付与された電子ファイルのファイル属性は図７に示すように、ファイル名、ファイルの種類、ファイルの場所、ファイルのサイズ、プリント属性、最終作成日の電子ファイルに関する情報が示される。
【００８６】
このように、ユーザは電子ファイルの属性を確認する処理を行うことで電子ファイルに付与されたプリント属性を確認することができる。
【００８７】
次に、ＰＣ３００を操作するユーザが所望の電子ファイルにプリント属性を付与する処理について図８を参照して説明を行なう。
【００８８】
図８は、ユーザがＰＣ３００を操作して所望の電子ファイルに所望のプリント属性を付与する処理を示したフローチャートである。
【００８９】
ＰＣ３００を操作するユーザは、入力部３０２を操作して、記憶部３０３に記憶される所望の電子ファイルに対して所望のプリント属性を付与する（ステップ８０１）。
【００９０】
次に、印刷システム１においてＰＣ３００より印刷指示がされて印刷が行なわれる処理について図９、図１０を参照して説明を行なう。
【００９１】
図９および図１０は、ＰＣ３００より印刷指示が行われて印刷システム１で印刷が行なわれる処理について示したフローチャートである。
【００９２】
ＰＣ３００の入力部３０２より特定の電子ファイルに対して印刷指示が行われると（ステップ９０１）、ＰＣ３００の制御部３０４内の属性読取部３０８が該電子ファイルのプリント属性を読取る（ステップ９０２）。
【００９３】
読取られたプリント属性が「リモート紙のみプリント可」であった場合には（ステップ９０３でＹＥＳかつステップ９０４でＹＥＳ）、制御部３０４がプリンタ１００に対してリモート紙が給紙トレイ１０４内に収納されていていることでリモート紙による印刷が準備段階になっているかどうかを問い合わせるために、リモート紙の存否の問い合わせを行なう通信を開始する（ステップ９０５）。
【００９４】
ＰＣ３００からリモート紙の存否の問い合わせを受けたプリンタ１００は、リモート紙検知部１０６が、給紙トレイ１０４のリモート紙専用の収納トレイにリモート紙があるか否かの確認を行なう（ステップ９０６）。
【００９５】
そして、制御部１０２が、問い合わせを行なったＰＣ３００に対して、リモート紙検知部１０６によって確認された存否の結果を送信する（ステップ９０７）。
【００９６】
結果の送信を受けたＰＣ３００では、その内容が、プリンタ１００にリモート紙がある内容である場合には（ステップ９０８でＹＥＳ）、ステップ９０１で印刷指示を受けた電子ファイルを印刷する印刷ジョブが生成される（ステップ９０９）。
【００９７】
印刷ジョブがＰＣ３００から送信されると（ステップ９１０）、サーバ２００は印刷ジョブを受け付けて（ステップ９１１）、プリンタ１００が印刷可能な状態だと受け付けた印刷ジョブをプリンタ１００に送信する（ステップ９１２）。
【００９８】
プリンタ１００が印刷中ですぐに印刷ジョブを送信できない状態だと、サーバ２００の制御部２０２は、受け付けた印刷ジョブを一端データ蓄積部２０３に蓄えて、プリンタ１００が印刷可能になると蓄えた印刷ジョブをプリンタ１００に送信する。
【００９９】
プリンタ１００では、印刷ジョブを受け付けて（ステップ９１３）、受け付けた印刷ジョブの内容に従って磁性体４０が付与されたリモート紙を使用して印刷を行なう（ステップ９１４）。
【０１００】
また、ＰＣ３００がプリンタ１００にリモート紙の存否の問い合わせを行なって、問い合わせの結果がリモート紙がない旨である場合には（ステップ９０８でＮＯ）、「プリンタ１００にリモート紙がないため、プリントできません」などと表示部３０９にメッセージ表示が行なわれて（ステップ９１５）プリント処理が終了される。
【０１０１】
このように、印刷指示を受けた電子ファイルのプリント属性が「リモート紙のみプリント可」であった場合には、ＰＣ３００がプリンタ１００と通信行なってリモート紙の存否が確認された後に印刷ジョブが作成されて、印刷ジョブが送信される。
【０１０２】
また、印刷指示を受けた電子ファイルのプリント属性が「普通プリント可」であった場合には（ステップ９０４でＮＯ）、プリンタ１００にリモート紙の存否の問い合わせは行なわれずに、印刷ジョブが作成され（ステップ９１６）、サーバ２００に印刷ジョブが送信される（ステップ９１７）。
【０１０３】
印刷ジョブを受信したサーバ２００は（ステップ９１１）、プリンタ１００で印刷可能かどうかを確認して受信した印刷ジョブをプリンタ１００に送信する（ステップ９１２）。
【０１０４】
サーバ２００より印刷ジョブを受信したプリンタ１００は（ステップ９１３）、印刷ジョブに指定された普通紙による印刷を実行する（ステップ９１４）。
【０１０５】
このように、印刷指示を受けた電子ファイルのプリント属性が「普通プリンタ可」であった場合には、ＰＣ３００はプリンタ１００とリモート紙の存否を確認する通信を行なわずに普通紙による印刷を実行する印刷ジョブが作成されて、印刷ジョブが送信される。
【０１０６】
また、印刷指示を受けた電子ファイルのプリント属性が「プリント禁止」であった場合には（ステップ９０３でＮＯ）、「プリント属性が「プリント禁止」に設定されているため、プリントできません」などと表示部３０９にメッセージ表示が行なわれ（ステップ９１５）、プリント処理が終了される。
【０１０７】
次に、印刷システム１のＰＣ３００−１で行なわれる、電子メールの添付ファイルにプリント属性が付与される処理について図１１を参照して説明を行なう。
【０１０８】
図１１は、印刷システム１のＰＣ３００−１で行なわれる、電子メールの添付ファイルにプリント属性が付与される処理について示した電子メールソフト３０５で実行される画面の画面構成図である。
【０１０９】
印刷システム１のＰＣ３００−１より電子メールソフト３０５でプリント属性が付与された添付ファイルが、電子メールによってインターネット２０を経由してＰＣ３００に送信され、プリント属性が付与された添付ファイル付きの電子メールをＰＣ３００が受信して、ＰＣ３００がプリンタ１００に添付ファイルの印刷指示を行なう場合を想定する。
【０１１０】
図１１に示すように、ＰＣ３００の記憶部３０３に記憶される電子メールソフト３０５の電子メール送信画面には、宛先、件名、添付ファイル名、内容の表示がされる。
【０１１１】
そして、添付ファイル名に表示される電子ファイルに対して、入力部３０２の操作によって、図１１に示すように、任意のプリント属性が付与される。
【０１１２】
電子メールソフト３０５によって添付ファイルにプリント属性が付与される場合には、上述したプリント属性からさらに内容の隠蔽を行なう選択が追加され「プリント禁止」、「リモート紙のみプリント可」、「リモート紙のみプリント可（内容隠蔽）」、「普通プリント可」、「普通プリント可（内容隠蔽）」の５種類のプリント属性の付与が可能である。
【０１１３】
電子メールソフト３０５で添付ファイルに「プリント禁止」のプリント属性が付与された電子ファイルは、電子メールの受信装置であるＰＣ３００から印刷システム１のプリンタ１００に印刷指示することができない。
【０１１４】
しかし、「プリント禁止」のプリント属性が付与された電子ファイルは、ＰＣ３００の記憶部３０３に記憶されるソフトウェア（例えばワードファイルはマイクロソフトのワード）によって開かれ、電子ファイルの内容をＰＣ３００のユーザが確認することができる。
【０１１５】
また、電子メールソフト３０５で添付ファイルに「リモート紙のみプリント可」のプリント属性が付与された電子ファイルは、電子メールの受信装置であるＰＣ３００から印刷システム１のプリンタ１００でリモート紙のみ印刷させることができる。
【０１１６】
そして、「リモート紙のみプリント可」のプリント属性が付与された電子ファイルは、ＰＣ３００の記憶部３０３に記憶されるソフトウェアによって開かれ、該電子ファイルの内容をＰＣ３００のユーザが確認することができる。
【０１１７】
また、電子メールソフト３０５で添付ファイルに「リモート紙のみプリント可（内容隠蔽）」のプリント属性が付与された電子ファイルは、電子メールの受信装置であるＰＣ３００から印刷システム１のプリンタ１００でリモート紙のみ印刷させることができる。
【０１１８】
そして、「リモート紙のみプリント可（内容隠蔽）」のプリント属性が付与された電子ファイルは、内容が隠蔽されないときに開くことができたソフトウェアによって開くことはできず、ＰＣ３００のユーザは当該電子ファイルの内容を印刷以外で確認することはできない。
【０１１９】
ＰＣ３００−１の電子メールソフト３０５で「リモート紙のみプリント可（内容隠蔽）」のプリント属性が付与された電子ファイルは、ＰＣ３００−１の暗号部３０６が有する暗号鍵によって暗号化が行なわれてＰＣ３００に送信されることによって、ＰＣ３００のユーザは該電子ファイルの内容をプリンタ１００による印刷以外に確認することができない。
【０１２０】
プリンタ１００は復号部１０５に暗号化が行なわれた電子ファイルを復号する復号鍵を有しているので、暗号化された電子ファイルが印刷指示されてプリンタ１００に送信されると、プリンタ１００の復号部１０５で当該電子ファイルの復号が行なわれてリモート紙による印刷が行なわれる。
【０１２１】
そのように、内容が隠蔽された電子ファイルを電子メールの添付ファイルとして受け取ったＰＣ３００のユーザは、プリンタ１００にリモート紙による印刷をさせることで、添付ファイルの内容を確認することができる。
【０１２２】
また、電子メールソフト３０５で添付ファイルに「普通プリント可」のプリント属性が付与された電子ファイルは、電子メールの受信装置であるＰＣ３００からプリンタ１００に普通紙による印刷をさせることができる。
【０１２３】
そして、「普通プリント可」のプリント属性が付与された電子ファイルは、ＰＣ３００の記憶部３０３に記憶されるソフトウェアによって開かれて、該電子ファイルの内容をＰＣ３００のユーザが確認することができる。
【０１２４】
また、電子メールソフト３０５で添付ファイルに「普通プリント可（内容隠蔽）」のプリント属性が付与された電子ファイルは、電子メールの受信装置であるＰＣ３００から印刷システム１のプリンタ１００で普通紙による印刷をさせることができる。
【０１２５】
そして、「普通プリント可（内容隠蔽）」のプリント属性が付与された電子ファイルは、内容が隠蔽されないときに開くことができたソフトウェアによって開くことはできず、ＰＣ３００のユーザは当該電子ファイルの内容を印刷以外で確認することができない。
【０１２６】
ＰＣ３００−１の電子メールソフト３０５で「普通プリント可（内容隠蔽）」のプリント属性が付与された電子ファイルは、「リモート紙のみプリント可（内容隠蔽）」のプリント属性が付与された電子ファイルと同様に、ＰＣ３００−１の暗号部３０６が有する暗号鍵によって暗号化が行われてＰＣ３００に送信されることによって、ＰＣ３００のユーザは該電子ファイルの内容をプリンタ１００による印刷以外に確認することができない。
【０１２７】
プリンタ１００は復号部１０５に暗号化が行なわれた電子ファイルを復号する復号鍵を有しているので、暗号化された電子ファイルが印刷指示されてプリンタ１００に送信されると、プリンタ１００の復号部１０５で当該電子ファイルの復号が行なわれる。
【０１２８】
このように、内容を隠蔽するプリント属性が選択されて電子ファイルに付与され、電子メールで送られると、添付ファイルを受け取ったユーザは、印刷システム１のプリンタ１００に対して印刷指示する以外に内容を確認することができないので、電子ファイルを電子メールで送信する送信者と受信者間での柔軟なセキュリティ管理を構築することができる。
【０１２９】
次に、内容が隠蔽されてリモート紙のみプリントが可能となる「リモート紙のみプリント可（内容隠蔽）」のプリント属性が付与された添付ファイルをＰＣ３００が電子メールによって受信した時の、電子メールソフト３０５で実行される受信トレイの表示について図１２を参照して説明を行なう。
【０１３０】
図１２はＰＣ３００の電子メールソフト３０５の電子メール受信画面である。
【０１３１】
図１２に示すように、電子メール３０５の電子メール受信画面には、受信した電子メールの詳細が表示される。
【０１３２】
詳細の内容は、送信者、件名、受信日時、添付ファイル名、プリント属性である。
【０１３３】
受信した電子メールに電子ファイルが添付されていると、そのファイル名が添付ファイル名の欄に表示され、さらにその電子ファイルに付与されたプリント属性が表示される。
【０１３４】
図１２に示す電子メール受信画面には、「tennpu.doc」という名前の電子ファイルが添付され（参照番号１２０１）、「tennpu.doc」ファイルには「リモート紙のみプリント可（内容隠蔽）」のプリント属性が付与されたことが表示されている（参照番号１２０２）。
【０１３５】
ＰＣ３００では、このように電子メールソフト３０５で受信した添付ファイルをその添付ファイルに付与されたプリント属性に従って印刷システム１において印刷を行なうことができる。
【０１３６】
つまり、図１２に示すように、入力部３０２の操作によって「tennpu.doc」ファイルに対して印刷指示が実行され（参照番号１２０３）、プリンタ１００でリモート紙による印刷が行なわれる。
【０１３７】
次に、電子メールに添付されてＰＣ３００によって受信された電子ファイルが印刷される処理について図１３を参照して説明する。
【０１３８】
図１３は、印刷システム１において、ＰＣ３００−１からプリント属性が付与された電子ファイルが電子メールに添付されてＰＣ３００に送信され、ＰＣ３００より該電子ファイルに印刷指示が行なわれる処理について示したフローチャートである。
【０１３９】
まず、ＰＣ３００−１において、電子メールソフト３０５によって添付ファイルに、ＰＣ３００−１を操作するユーザの所望のプリント属性が付与される（ステップ１３０１）。
【０１４０】
ここでは、「リモート紙のみプリント許可（内容隠蔽）」のプリント属性が付与される例について説明する。
【０１４１】
そして、ＰＣ３００−１の電子メールソフト３０５によって、プリント属性が付与された電子ファイルが添付された電子メールはＰＣ３００に送信される（ステップ１３０２）。
【０１４２】
電子メールがＰＣ３００−１より送信されると、送信された電子メールはインターネット２０を経由してＰＣ３００の電子メールソフト３０５によって受信される（ステップ１３０３）。
【０１４３】
ＰＣ３００のユーザは、電子メールソフト３０５により受信した電子メールを確認して（図１２参照）、入力部３０２から、電子メールに添付された電子ファイルの印刷を指示する（ステップ１３０４）。
【０１４４】
ＰＣ３００より印刷指示された電子ファイルは図９のフローチャートを参照して説明したように、電子ファイルのプリント属性がＰＣ３００の属性読取部３０８によって読取られる（ステップ９０２）。
【０１４５】
ステップ９０２以降の印刷処理は図９および図１０のフローチャートを参照して説明した印刷処理と同様なので、説明は重複を避ける為に省略する。
【０１４６】
このように、ＰＣ３００−１からＰＣ３００に電子メールに添付されて送信される電子ファイルに対して、「リモート紙のみ印刷可（内容隠蔽）」というプリント属性が付与されて電子メールで送信されると、ＰＣ３００−１からＰＣ３００へ送信される通信経路上では該電子ファイルは暗号化されて内容が隠蔽されて送信され、さらに、ＰＣ３００のユーザによって内容が確認される為には、ＰＣ３００のユーザはリモート紙による印刷をプリンタ１００に行なわせるしかその内容を確認することはできないので、電子メールに添付する電子ファイルに柔軟なセキュリティ管理を行なうことができる。
【０１４７】
また、ＰＣ３００−１からＰＣ３００に電子メールに添付されて送信される電子ファイルに対して、「普通プリント可（内容隠蔽）」というプリント属性が付与されて電子メールで送信されると、ＰＣ３００−１からＰＣ３００へ送信される通信経路上では該電子ファイルは暗号化されて内容が隠蔽されて送信され、ＰＣ３００より印刷が行なわれる際には普通紙による印刷が行なわれる。
【０１４８】
なお、ＰＣ３００−１の電子メールソフト３０５で添付ファイルに「リモート紙のみ印刷可（内容隠蔽）」または「普通プリント可（内容隠蔽）」が選択された場合には、添付ファイルの内容が暗号化されて送信されるが、暗号方式は、暗号部３０６が有する暗号鍵によって暗号化された電子ファイルが復号部１０５によって復号されるように説明したが、ＰＣ３００−１からＰＣ３００に電子ファイルが送信される際に隠蔽される暗号方式は、各種暗号方式を適用することができる。
【０１４９】
そして、暗号化された電子ファイルを復号する復号部１０５はプリンタ１００が有するのではなく、サーバ２００が有するように構成されてもよい。
【０１５０】
なお、本実施例では、セキュリティ管理可能な用紙として大バルクハウゼン効果に伴う磁気パルスを発する磁性体４０が付与されたリモート紙３０を説明したが、リモート紙に付与された磁性体の磁歪振動が検知されることによってセキュリティが管理されるリモート紙や、ＲＦＩＤ(Radio Frequency IDentification)などのタグが付与されてセキュリティ管理が行なわれるリモート紙であってもよい。
【産業上の利用可能性】
【０１５１】
この発明は、セキュリティ管理可能なリモート紙を印刷できるプリンタを有する印刷システムにおいて利用可能である。
【０１５２】
この発明によれば、印刷される電子ファイルに対して「プリント禁止」、「リモート紙のみプリント可」、「普通プリント可」のいずれかのプリント属性を付与して印刷管理することができる。
【０１５３】
また、電子メールに添付して送信される電子ファイルに対しては、上記のプリント属性からさらに内容を隠蔽する選択をすることができ、該電子ファイルが暗号化されて送信されて受信先ではリモート紙による印刷が行なわれるように、電子ファイルへの指定が行なえる。
【図面の簡単な説明】
【０１５４】
【図１】印刷システム１の概要を示すシステム構成図。
【図２】プリンタ１００の概要を示すブロック図。
【図３】サーバ２００の概要を示すブロック図。
【図４】ＰＣ３００の概要を示すブロック図。
【図５】リモート紙３０で印刷された用紙のセキュリティ機能を示す模式図。
【図６】電子ファイルにプリント属性が付与される画面の画面構成図。
【図７】電子ファイルのファイル属性について示す図。
【図８】電子ファイルに所望のプリント属性が付与される処理を示すフローチャート。
【図９】印刷システム１で印刷が行なわれる処理を示すフローチャート。
【図１０】印刷システム１で印刷が行なわれる処理を示すフローチャート。
【図１１】ＰＣ３００−１で電子メールの添付ファイルにプリント属性が付与される処理について示した画面の画面構成図。
【図１２】ＰＣ３００の電子メールソフト３０５の電子メール受信画面。
【図１３】ＰＣ３００−１からプリント属性が付与された電子ファイルがＰＣ３００に送信されて印刷される処理を示すフローチャート。
【符号の説明】
【０１５５】
１    印刷システム
１０    通信回線
２０    インターネット
１００    プリンタ
１０１    通信Ｉ／Ｆ部
１０２    制御部
１０３    印刷実行部
１０４    給紙トレイ
１０５    リモート紙検知部
２００    サーバ
２０１    通信Ｉ／Ｆ部
２０２    制御部
２０３    データ蓄積部
３００    パーソナルコンピュータ
３００−１    パーソナルコンピュータ
３０１    通信Ｉ／Ｆ部
３０２    入力部
３０３    記憶部
３０４    制御部
３０５    電子メールソフト
３０６    プリント属性付与部
３０７    属性読取部
３０８    表示部
【図１】
2008090386.tif 000003
【図２】
2008090386.tif 000004
【図３】
2008090386.tif 000005
【図４】
2008090386.tif 000006
【図５】
2008090386.tif 000007
【図６】
2008090386.tif 000008
【図７】
2008090386.tif 000009
【図８】
2008090386.tif 000010
【図９】
2008090386.tif 000011
【図１０】
2008090386.tif 000012
【図１１】
2008090386.tif 000013
【図１２】
2008090386.tif 000014
【図１３】
2008090386.tif 000015